(57)【要約】【課題】ユーザビリティに優れた文書の分割、結合の方法、装置を提供することである【解決手段】上記課題を解決するために第１の態様として、表示機能を有するタッチパネルとデータ通信することが可能に接続してある情報処理装置により、タッチパネルに表示された文書を分割する方法であって、前記文書中の異なる２点をユーザが指示することに応答して、当該２点のタッチパネルにおける位置を識別するステップと、前記異なる２点を結ぶ線分を横切るように、ユーザが前記タッチパネルをなぞることに応答して、前記ユーザがなぞった線の始点、終点を延長した線分を分割線として前記文書を分割するステップを有する方法を提供する。【選択図】図４
2015055901.tif 000002
【特許請求の範囲】
【請求項１】
表示機能を有するタッチパネルとデータ通信することが可能に接続してある情報処理装置により、タッチパネルに表示された文書を分割する方法であって、
前記文書中の異なる２点をユーザが指示することに応答して、当該２点のタッチパネルにおける位置を識別するステップと、
前記異なる２点を結ぶ線分を横切るように、ユーザが前記タッチパネルをなぞることに応答して、前記ユーザがなぞった線の始点、終点を延長した線分を分割線として前記文書を分割するステップ
を有する方法。
【請求項２】
前記延長した線分を表示するステップを含む、請求項１記載の方法。
【請求項３】
前記分割するステップが、
さらに、前記２点をユーザが遠ざける方向にスライドさせることに応答して、前記なぞった線の始点、終点を延長した線分を分割線として前記文書を分割するステップを含む、請求項１記載の方法。
【請求項４】
前記文書がテキストを含み、
前記分割するステップが、
前記テキストを構文解析するステップと、
前記構文解析からテキストの分割適合箇所を判断するステップと、
前記分割適合箇所を境として、前記文書を分割するステップ
を含む、請求項１記載の方法。
【請求項５】
前記文書が複数のグラフィック・オブジェクトを含み、
前記分割するステップが、
前記各グラフィック・オブジェクトの中心を算出するステップと、
前記延長した線分で分けられた表示領域のどちらに前記中心があるかを判断するステップと、
前記判断の結果によって前記グラフィック・オブジェクトを分け、前記文書を当該分けられたグラフィック・オブジェクトを含むように2つの文書に分けるステップ
を含む、請求項１記載の方法。
【請求項６】
表示機能を有するタッチパネルとデータ通信することが可能に接続してある情報処理装置により、タッチパネルに表示された文書を結合する方法であって、
異なる文書中の２点をユーザが指示することに応答して、前記異なる文書の辺の位置を識別するステップと、
ユーザが何れか１つの前記文書の一辺をなぞることに応答して、前記なぞった辺を結合辺として前記異なる文書を結合するステップ
を有する方法。
【請求項７】
表示機能を有するタッチパネルとデータ通信することが可能に接続してある情報処理装置により、タッチパネルに表示された文書を分割する装置であって、
前記文書中の異なる２点をユーザが指示することに応答して、当該２点のタッチパネルにおける位置を識別する手段と、
前記異なる２点を結ぶ線分を横切るように、ユーザが前記タッチパネルをなぞることに応答して、前記ユーザがなぞった線の始点、終点を延長した線分を分割線として前記文書を分割する手段
を有する装置。
【請求項８】
前記延長した線分を表示する手段を含む、請求項７記載の装置。
【請求項９】
前記分割する手段が、
さらに、前記２点をユーザが遠ざける方向にスライドさせることに応答して、前記なぞった線の始点、終点を延長した線分を分割線として前記文書を分割する手段を含む、請求項７記載の装置。
【請求項１０】
前記文書がテキストを含み、
前記分割する手段が、
前記テキストを構文解析する手段と、
前記構文解析からテキストの分割適合箇所を判断する手段と、
前記分割適合箇所を境として、前記文書を分割する手段
を含む、請求項７記載の装置。
【請求項１１】
前記文書が複数のグラフィック・オブジェクトを含み、
前記分割する手段が、
前記各グラフィック・オブジェクトの中心を算出する手段と、
前記延長した線分で分けられた表示領域のどちらに前記中心があるかを判断する手段と、
前記判断の結果によって前記グラフィック・オブジェクトを分け、前記文書を当該分けられたグラフィック・オブジェクトを含むように2つの文書に分ける手段
を含む、請求項７記載の装置。
【請求項１２】
表示装置を備えるタッチパネルに表示された文書を結合する装置であって、
異なる文書中の２点をユーザが指示することに応答して、前記異なる文書の辺の位置を識別する手段と、
ユーザが何れか１つの前記文書の一辺をなぞることに応答して、前記なぞった辺を結合辺として前記異なる文書を結合する手段
を有する装置。
【請求項１３】
請求項１〜６の何れか１項に記載の方法の各ステップをコンピュータに実行させる、コンピュータ・プログラム。
【請求項１４】
請求項１３記載のコンピュータ・プログラムを、コンピュータ可読記録媒体に記録した、記録媒体。
【発明の詳細な説明】
【技術分野】
【０００１】
本発明は、文書の分割・結合方法に関し、特にタッチパネルにおける文書の分割・結合方法、およびコンピュータ・プログラムに関する。
【背景技術】
【０００２】
近年、スマートフォン等の携帯端末の普及により文書を携帯端末上で編集する機会が増えている。またスマートフォンではほぼ全ての操作をタッチパネルで行うことができる。
【０００３】
引用文献１には２点タッチによる操作方法が記載されている。引用文献２にはマルチポイント感知装置によるジェスチャリングに関する方法が記載されている。引用文献３にはグラフィックオブジェクトのグループ作成操作方法が記載されている。上記従来技術は何れもユーザビリティに優れた文書の分割、結合の技術を提供しない。
【先行技術文献】
【特許文献】
【０００４】
【特許文献１】特開２０１２−７９２７９
【特許文献２】特開２００９−５２５５３８
【特許文献３】特開平１０−９１３２３
【発明の概要】
【発明が解決しようとする課題】
【０００５】
本発明はかかる事情に鑑みてなされたものであり、タッチパネルを代表とするマルチポイント感知装置において文書の分割、結合の技術を提供することを目的とする。
【０００６】
また別の課題は、ＧＵＩを用いてユーザビリティに優れ、また人間工学的にも優れた文書の分割、結合の技術を提供することである。
【課題を解決するための手段】
【０００７】
上記課題を解決するために本発明では、表示機能を有するタッチパネルとデータ通信することが可能に接続してある情報処理装置により、タッチパネルに表示された文書を分割する方法であって、前記文書中の異なる２点をユーザが指示することに応答して、当該２点のタッチパネルにおける位置を識別するステップと、前記異なる２点を結ぶ線分を横切るように、ユーザが前記タッチパネルをなぞることに応答して、前記ユーザがなぞった線の始点、終点を延長した線分を分割線として前記文書を分割するステップを有する方法を提供する。
【０００８】
ここで前記延長した線分を表示するステップを含むようにしても良い。
【０００９】
また、前記分割するステップが、さらに、前記２点をユーザが遠ざける方向にスライドさせることに応答して、前記なぞった線の始点、終点を延長した線分を分割線として前記文書を分割するステップを含むようにしても良い。
【００１０】
また、前記文書がテキストを含み、前記分割するステップが、前記テキストを構文解析するステップと、前記構文解析からテキストの分割適合箇所を判断するステップと、前記分割適合箇所を境として、前記文書を分割するステップを含むようにしても良い。
【００１１】
さらに、前記文書が複数のグラフィック・オブジェクトを含み、前記分割するステップが、前記各グラフィック・オブジェクトの中心を算出するステップと、前記延長した線分で分けられた表示領域のどちらに前記中心があるかを判断するステップと、前記判断の結果によってグラフィック・オブジェクトを含む２つの文書に分けるステップを含むようにしても良い。
【００１２】
また別の態様として、表示機能を有するタッチパネルとデータ通信することが可能に接続してある情報処理装置により、タッチパネルに表示された文書を結合する方法であって、異なる文書中の２点をユーザが指示することに応答して、前記異なる文書の辺の位置を識別するステップと、ユーザが何れか１つの前記文書の一辺をなぞることに応答して、前記なぞった辺を結合辺として前記異なる文書を結合するステップを有する方法を提供する。
【００１３】
また別の態様として、上記の方法の各ステップをハードウェアの手段として構成した装置を提供する。
【００１４】
また別の態様として、上記の方法の各ステップをコンピュータに実行させる、コンピュータ・プログラムを提供する。
【００１５】
また別の態様として、上記コンピュータ・プログラムを、コンピュータ可読記録媒体に記録した、記録媒体を提供する。
【発明の効果】
【００１６】
本発明を用いることにより、ユーザビリティに優れた文書の分割、結合の技術が提供される。
【図面の簡単な説明】
【００１７】
【図１】本発明の情報処理装置の構成を示すブロック図である。
【図２】典型的なタッチパネル２１の構造を示すブロック図である。
【図３】本発明の情報処理装置１の機能ブロック図である。
【図４】本発明のオブジェクトの分割例である。
【図５】最終分割ステップの態様である。
【図６】本発明のオブジェクトの結合例である。
【図７】最終結合ステップの態様である。
【図８】コンテンツに応じた分割方法である。
【図９】分割に相応しい線分を決定して、テキストを分割する図である。
【図１０】分割対象がグラフィック・オブジェクトの例である。
【図１１】複数のグラフィック・オブジェクト有する文書を分割する例である。
【図１２】本発明の分割のフローチャートである。
【図１３】本発明の結合のフローチャートである。
【図１４】グラフィック・オブジェクトを含む文書の分割判断のフローチャートである。
【発明を実施するための形態】
【００１８】
以下、本発明の実施の形態に係る、オブジェクトを表示し、指示し、選択するための装置について、図面に基づいて具体的に説明する。以下の実施の形態は、特許請求の範囲に記載された発明を限定するものではなく、実施の形態の中で説明されている特徴的事項の組み合わせの全てが解決手段の必須事項であるとは限らないことは言うまでもない。
【００１９】
また、本発明は多くの異なる態様にて実施することが可能であり、実施の形態の記載内容に限定して解釈されるべきではない。
【００２０】
以下の実施の形態では、コンピュータシステムにコンピュータ・プログラムを導入した装置について説明するが、当業者であれば明らかな通り、本発明はその装置の一部をコンピュータで実行することが可能なコンピュータ・プログラムとして実施することができる。したがって、本発明は、データ通信することが可能に接続してある所の表示装置で表示されているオブジェクトを分割、結合する装置というハードウェアとしての実施の形態と、ソフトウェアとしての実施の形態と、ソフトウェアとハードウェアとの組み合わせの実施の形態をとることができる。またコンピュータ・プログラムはハードディスク、ＤＶＤ、ＣＤ、光記憶装置、磁気記憶装置等の任意のコンピュータで読み取ることが可能な記録媒体に記録することができる。
【００２１】
本発明の実施の形態によれば、マウス等のポインティングデバイス、機械的なスイッチ、ボタンを必要とすることなく、タッチパネルに表示された文書、イメージ、オブジェクトを分割もしくは結合することができる。
【００２２】
（実施の形態１）
図１は、本発明の実施の形態１に係る情報処理装置の構成を示すブロック図である。本発明の実施の形態１に係る情報処理装置１は、少なくともＣＰＵ（中央演算装置）１１、メモリ１２、記憶装置１３、Ｉ／Ｏインタフェース１４、ビデオインタフェース１５、ディスクドライブ１６、通信インタフェース１７及び上述したハードウェアを接続する内部バス１８で構成されている。
【００２３】
ＣＰＵ１１は、内部バス１８を介して情報処理装置１の上述したようなハードウェア各部と接続されており、上述したハードウェア各部の動作を制御するとともに、記憶装置１３に記憶されたコンピュータ・プログラム１００に従って、種々のソフトウェア的機能を実行する。メモリ１２にはコンピュータ・プログラム１００の実行時にロードモジュールが展開され、コンピュータ・プログラム１００の実行時に発生する一時的なデータ等が記憶される。
【００２４】
記憶装置１３は、内蔵型の固定型記憶装置である。記憶装置１３に記憶されたコンピュータ・プログラム１００は、プログラム及びデータ等の情報を記録したＤＶＤ、ＣＤ−ＲＯＭ等の可搬型記録媒体９０から、可搬型用ディスクドライブ１６により読み込まれ記憶装置１３に導入もしくは記憶される。プログラムの実行時には記憶装置１３からメモリ１２へ展開して実行される。もちろん、通信インタフェース１７を介して接続されている外部コンピュータからダウンロードされたコンピュータ・プログラムであっても良い。
【００２５】
通信インタフェース１７は内部バス１８に接続されており、インターネット、ＬＡＮ、ＷＡＮ等の外部のネットワークに接続されることにより、外部コンピュータ等とデータ送受信を行うことが可能となっている。
【００２６】
Ｉ／Ｏインタフェース１４は、タッチパネル２１と接続され、データの入力を受け付ける。また、ビデオインタフェース１５は、タッチパネル２１と一体となったディスプレイ２２と接続され、オブジェクトの画像を表示する。本発明特有のオブジェクト分割・結合機構は情報処理装置１が、タッチパネル２１と分離されていても支障なく機能することに留意されたい。ユーザはディスプレイ２２に表示されているオブジェクトを本発明特有の方法、構成により分割、結合する。
【００２７】
図２は、本発明の実施の形態１に係る、典型的なタッチパネル２１の構造を示すブロック図である。図２に示すように、実施の形態１に係るタッチパネル２１は、少なくともタッチパネル部（ディスプレイ）２００、発振回路４１、検出位置制御回路４２、演算回路４３、Ｘ軸入力側スイッチ４４、Ｙ軸入力側スイッチ４５、Ｘ軸出力側スイッチ４６、Ｙ軸出力側スイッチ４７、制御回路４８を備えている。
【００２８】
タッチパネル２１の位置検出方法はマトリクス・スイッチ方式以外に、抵抗膜方式、表面弾性波方式、赤外線方式、電磁誘導方式、静電容量方式、またこれらの混合が知られている。静電容量方式の場合はタッチパネルと指またはポインタとの静電容量を用いた距離の測定に加えて他点接触検出も可能である。
【００２９】
タッチパネル部２００は、Ｘ軸方向の位置を検出するためのＸ軸電極線と、Ｙ軸方向の位置を検出するためのＹ軸電極線がマトリックス上に配置されたタッチパネルである。発振回路４１は、パルス信号を発生する発振回路である。検出位置制御回路４２は、タッチパネル部２００のＸ軸電極線又はＹ軸電極線のうち、いずれを接続するかを制御する制御回路である。
【００３０】
演算回路４３は、タッチパネル部２００からの信号を検出して、指による接触位置又は近接位置を演算する回路である。Ｘ軸入力側スイッチ４４は、Ｘ軸電極線の入力端へパルス信号を入力するためのスイッチであり、Ｙ軸入力側スイッチ４５は、Ｙ軸電極線の入力端へパルス信号を入力するためのスイッチである。また、Ｘ軸出力側スイッチ４６は、Ｘ軸電極線の出力端を演算回路４３に接続するためのスイッチであり、Ｙ軸出力側スイッチ４７は、Ｙ軸電極線の出力端を演算回路４３に接続するためのスイッチである。
【００３１】
制御回路４８は、タッチパネル２１の全体の動作を制御するとともに、検出位置制御回路４２に対して、複数の電極を所定の本数接続した状態で指の接触位置又は近接位置の検出を指示する。位置検出が行われた場合、検出された位置付近の電極を個別接続し、その他の電極を所定の本数接続した状態とするよう指示を行う。
【００３２】
タッチパネル２１からの出力信号として、例えば接触状態である、近接状態である、離隔状態である等に関する情報を取得する場合、指とタッチパネル２１との間の距離も、静電電圧の変動により推算することができる。また指の動きに加えて傾斜角度も推算することができる。
【００３３】
以下、オブジェクトを分割、結合する装置の動作について説明する。図３は、本発明の実施の形態１に係る情報処理装置１の機能ブロック図である。
【００３４】
図３において、情報処理装置１の接触状態検知部１０１は、タッチパネル２１からの出力信号を受信して、指先とタッチパネル２１との垂直距離、指の接触状態、指の動きに関する情報を抽出する。指の接触状態に関する情報とは、例えば何本の指が接触状態であるか、近接状態であるか、離隔状態であるか等に関する情報であり、タッチパネル２１の各センサからの出力信号により判断することができる。なお近接状態の場合その距離も算出する。
【００３５】
オブジェクト表示部１０２は、指の接触状態、動きに関する情報に応じて、オブジェクトの表示方法を変更する。例えば指先とタッチパネルとの距離と、タッチパネル面における指の動きに応じてオブジェクトの表示属性を変化させる。ここで表示属性とは色、形状、点滅、明度などを指す。
【００３６】
計時部１０３は、複数の指がオブジェクトを指示してからの経過時間を計時する。分割・結合判断部１０４（以下、判断部と記載）は、計時部１０３で計時を開始してから所定の時間（例えば５００ｍｓ）経過したか否かを判断する。さらに判断部１０４は、指の動きを監視し、タッチパネル上で指が静止しているか、どの方向に移動しているか、どこで止まったかを判断し、オブジェクトの分割・結合の条件に合致するかの判断を行う。分割・結合の条件に合致した場合には、オブジェクト表示部１０２に対して、オブジェクトを分割または結合した状態として表示するように指令を出す。
【００３７】
なお、本実施の形態１では、オブジェクトの分割・結合のトリガを、ユーザの指の動きに基づいて判断しているが、特にこれに限定されるものではない。例えば、タッチパネル上の選択ボタンや、外部スイッチをソフト的、ハード的に設けても良いし、加速度センサ等の情報を用いて、機器の振動情報を指示、選択動作のトリガとしても良い。その他トリガ信号は種々考えられる。
【００３８】
図４に本発明の実施形態１に係るオブジェクトの分割例を示す。ユーザは文書２０（分割対象となるオブジェクト）をディスプレイ２２上で開く。文書２０には複数行のテキスト含まれていると仮定する。
【００３９】
大きなステップとしては下記の操作手順となる。
（１）ユーザが分割したい箇所を指示する。
（２）ユーザが分割箇所をなぞる。
（３）互いに離れるように指をスライドさせる。（オプション）
以下詳細に動作態様を説明する。まずユーザは分割したい箇所を挟むように文書２０の異なる２点をタッチする。
【００４０】
第１の態様としては、ここでユーザが前記異なる２点を結ぶ線分をよこぎるように分割箇所をなぞることに応答して分割モードに入る。このとき文書２０のテキスト表示属性を変更して分割モードであることが分かるようにすると良い。ここで分割線２３をディスプレイに表示するようにしても良い。
【００４１】
第２の態様としては、２点をタッチしたまま既定時間を越えると分割モードに入るようにする。このとき文書２０のテキスト表示属性を変更して分割モードであることが分かるようにすると良い。次にユーザが前記異なる２点を結ぶ線分をよこぎるように分割箇所をなぞる。ここで分割線２３をディスプレイに表示するようにする。
【００４２】
第１若しくは第２の態様の後にすぐに分割線２３に従って文書２０を分割しても良いが、最終的な分割確認ステップとして、ユーザがタッチした２点を遠ざかるようにスライドさせることに応じて、文書２０を分割線に従って２つのオブジェクト２４、２５に分割するようにしても良い。
【００４３】
図５にその最終分割ステップの態様を図示する。指示した２点を互いに遠ざけるようにスライドさせることに応答して、文書２０が文書２４と文書２５に分割される。
【００４４】
図６の２つの文書２４と文書２５を結合する例を示す。
【００４５】
大きなステップとしては下記の操作手順となる。
（１）ユーザが結合したい文書（オブジェクト）を指示する。
（２）ユーザが結合する辺をなぞる。
（３）互いに近づくように指をスライドさせる。（オプション）
以下詳細に動作態様を説明する。まずユーザは結合したい文書２４と文書２５を夫々タッチする。
【００４６】
第１の態様としては、ここでユーザが文書２４の下辺もしくは文書２５の上辺をなぞることに応答して結合モードに入る。このとき文書２４と文書２５のテキスト表示属性を変更して結合モードであることが分かるようにすると良い。ここでなぞった辺をディスプレイに強調表示するようにしても良い。
【００４７】
第２の態様としては、異なる２つの文書を２点タッチしたまま既定時間を越えると結合分割モードに入るようにする。このとき文書２４と文書２５のテキスト表示属性を変更して結合モードであることが分かるようにすると良い。次にユーザが前記文書のどちらかの結合したい辺をなぞる。ここで結合する辺をディスプレイに強調表示するようにしても良い。
【００４８】
第１若しくは第２の態様の後にすぐに結合する辺に従って文書２４と文書２５を結合しても良いが、最終的な結合確認ステップとして、ユーザがタッチした２点を近づけるようにスライドさせることに応じて、文書２４と文書２５を辺にそって結合し、一つの文書２０として結合するようにしても良い。
【００４９】
図７にその最終結合ステップの態様を図示する。指示した２点を互いに近づけるようにスライドさせることに応答して、文書２４と文書２５が結合されて１つの文書２０が作成される。
【００５０】
図８により知的な分割方法を示す。ユーザの指の動作としては上記の分割方法と基本的に同じである。異なる所は、コンテンツの内容に応じて分割線を決定する点である。
【００５１】
ユーザが文書２０の所望の２点をタッチし、分割箇所をなぞることに応答して、図９に示すようにコンテンツ（テキスト）の分割に相応しい線分を決定し、これに応じて２つの文書２４と文書２５が作成される。
【００５２】
より具体的には、テキストを構文解析し、その結果からテキストの分割適合箇所を判断し、当該分割適合箇所（文末）を境として文書を分割する。テキストを構文解析し、文節に区切る技術は既知であるので省略する。なお本発明では文の終わりが理解されれば良いので、単純に文末である情報、例えば読点、コロン、などの存在をもって文末と判定する方法を用いても良い。
【００５３】
次に分割線がある文節を途中で切る場合には、その文末を分割位置とするか、もしくはその文節の前の文末を分割位置する。すなわち分割線２３が１つの文節を途中で切らないように適切な分割位置を調整および決定して、これに応じて分割線分を表示する。そしてユーザが指示した２点を遠ざけるように指をスライドさせることに応答して、調整され決定された分割線２３に従って文書２０を、文書２４と、文書２５の２つに分割する。
【００５４】
図１０に、分割対象がグラフィック・オブジェクトである場合の分割例を示す。文書２０は複数のグラフィック・オブジェクトを有している。ここでユーザが分割の手順として２点をタッチした状態で分割線を指示するためにタッチパネルをなぞる。
【００５５】
図１０も図９と同様に、コンテンツ（グラフィック・オブジェクト）の内容に応じて相応しい分割線分を決定し、これに応じて複数のグラフィックが、２つの文書２４と文書２５に適切に分けられる。
【００５６】
より具体的には、各グラフィック・オブジェクトの中心点、もしくは重心位置を計算し、分割線２３によって区切らるディスプレイ領域の２つの領域のどちらにその中心があるかによってグラフィック・オブジェクトを分ける。そしてユーザが指示した２点を遠ざけるように指をスライドさせることに応答して、調整され決定された分割線２３に従って複数の各グラフィック・オブジェクト含む文書２０を文書２４と、文書２５の２つに分割する。
【００５７】
図１０の例では分割線２３より上の領域にグラフィック・オブジェクト１０１０とグラフィック・オブジェクト１０２０の中心があり、下の領域にグラフィック・オブジェクト１０３０の中心が存在している。ここでユーザが２点を遠ざけるように指をスライドさせると、文書２０は、図１１に示すようにグラフィック・オブジェクト１０１０とグラフィック・オブジェクト１０２０を有する文書２４と、グラフィック・オブジェクト１０３０を有する文書２５の２つの文書に分割される。
【００５８】
図１２に本発明の分割のフローチャートを示す。まずステップ１２１０で文書を開く。次にステップ１２２０で文書中の異なる２点をユーザが指示したかを判断する。ここで指示した状態で一定時間経過した場合に最終的に指示したと判断しても良い。指示した場合には、２点のそれぞれの位置を識別する。次にステップ１２４０で、２点を結ぶ線分を横切るようにユーザがタッチパネルをなぞったかを判断する。ここで横切るとは直接２点間を結ぶ直線を横切る必要はなくなぞった線分の延長線が２点間を結ぶ直線を横切るだけでも良い。なぞったと判断した場合にはステップ１２５０でなぞった線分の始点と終点を延長した線分を分割線として、これを表示する。次にステップ１２６０で分割線に従って文章を分割する。
【００５９】
なお分割の判断として、ユーザが指示した２点を互いに離れる方向にスライドさせるという動作をトリガして最終的に分割するようにしても良い。
【００６０】
図１３に本発明の結合のフローチャートを示す。まずステップ１３１０で文書を開く。次にステップ１３２０で異なる文書中の２点をユーザが指示したかを判断する。ここで指示した状態で一定時間経過した場合に最終的に指示したと判断しても良い。指示した場合には、２点の文書の辺の位置を識別する。次にステップ１３４０で、何れかの文書の辺をユーザがなぞったかを判断する。なぞったと判断した場合にはステップ１３５０でなぞった辺を結合辺として表示する。次にステップ１３６０で結合辺に従って２つの文章を結合する。
【００６１】
図１４に、文書がグラフィック・オブジェクトを含む場合の、分割の判断のフローチャートを示す。まずステップ１４１０で各グラフィック・オブジェクトの中心点を計算する。ここで中心点は重心でも構わない。図形の中心点の計算方法は種々の方法が存在するので省略する。次にステップ１４２０で各グラフィック・オブジェクトについて分割線で分けられた２つの表示領域のどちらにその中心点が存在するかを判定する。そしてステップ１４３０でその判定結果に応じて、各グラフィック・オブジェクトを含む２つの文書に分ける。
【００６２】
この他の動作態様として、テキスト、イメージ、グラフィックの混在も考えられるが、上記の基本動作の組み合わせとして実施可能である。なお上記オブジェクトの分割、結合、指示動作のトリガとしてタッチパネルに備えた物理的スイッチや、情報処理装置に別途備えられた加速度センサ、振動センサ、ジャイロ等の信号をトリガとしても良い。
【００６３】
なお、本発明は上記実施例に限定されるものではなく、本発明の趣旨の範囲内であれば多種の変更、改良等が可能である。
【符号の説明】
【００６４】
１  情報処理装置
１１  ＣＰＵ
１２  メモリ
１３  記憶装置
１４  Ｉ／Ｏインタフェース
１５  ビデオインタフェース
１６  ディスクドライブ
１７  通信インタフェース
１８  内部バス
２０、２３、２４  文書
２１  タッチパネル
２２  ディスプレイ
４０  オブジェクト
４１  発振回路
４２  検出位置制御回路
４３  演算回路
４４〜４７  軸入力側スイッチ
４８  制御回路
１００  コンピュータ・プログラム
１０１  接触状態検知部
１０２  オブジェクト表示部
１０３  計時部
１０４  分割・結合判断部
２００  タッチパネル部
【図１】
2015055901.tif 000003
【図２】
2015055901.tif 000004
【図３】
2015055901.tif 000005
【図４】
2015055901.tif 000006
【図５】
2015055901.tif 000007
【図６】
2015055901.tif 000008
【図７】
2015055901.tif 000009
【図８】
2015055901.tif 000010
【図９】
2015055901.tif 000011
【図１０】
2015055901.tif 000012
【図１１】
2015055901.tif 000013
【図１２】
2015055901.tif 000014
【図１３】
2015055901.tif 000015
【図１４】
2015055901.tif 000016